【事件の表示】
　平成　４年特許願第　２００７８号「無線通信装置」拒絶査定に対する審判事件〔平成　５年　８月２７日出願公開、特開平　５−２１８９５８、請求項の数（１）〕について、次のとおり審決する。
【結　論】
　原査定を取り消す。
　本願の発明は、特許すべきものとする。
【理　由】
１．手続の経緯・本願発明
　本願は、平成４年２月５日の出願であって、その特許請求の範囲の請求項１に係る発明は、平成１１年２月４日付け、平成１２年２月１４日付け、及び平成１２年１２月４日付けの各手続補正書により補正された明細書及び図面の記載からみて、その特許請求の範囲の請求項１に記載されたとおりの次のものと認める。（以下、「本願発明」という。）
「複数の無線接続方式を備え、これらの無線接続方式を選択的に使用して無線接続を行う無線通信装置において、
　無線接続方式に特化した特定の機能通信の実施要求を入力する機能通信要求入力手段と、
　第１の無線接続方式での無線接続中に、前記機能通信要求入力手段により特定の機能通信の実施要求が入力された場合、入力された特定の機能通信を実行する第２の無線接続方式を選択し、この第２の無線接続方式で通信を行う無線回線を補足して通信を行う機能通信制御手段と
　を具備したことを特徴とする無線通信装置。」
　
２．引用例の記載
　これに対して、原査定の拒絶の理由に引用された、特開昭６３−９９６６２号公報（昭和６３年４月３０日出願公開、以下、「引用例１」という。）、特開平１−２８２９３０号公報（平成１年１１月１４日出願公開、以下、「引用例２」という。）、特開平３−２２７１４８号公報（平成３年１０月８日出願公開、以下、「引用例３」という。）、特開平３−２４７０６５号公報（平成３年１１月５日出願公開、以下、「引用例４」という。）、実願平１−１５０３３３号（実開平３−９０１６０号）のマイクロフィルム（平成３年９月１３日出願公開、以下、「引用例５」という。）には、次の記載がなされている。
［引用例１］
「空中線を介して信号を送受信する送受信手段と、
　前記送受信手段の信号線をモデムまたはファクシミリ装置に接続する第１のモード、及び該信号線を送受話器に接続する第２のモードの回線切替を行う切替手段と、
　前記送受話器を含み、前記各手段を制御する制御手段とを有し、
　前記制御手段で設定される回線切替制御情報に基づいて前記送受信手段が切替命令を前記切替手段へ送出し、該切替命令に基づいて前記切替手段が回線切替を行うことを特徴とする自動車電話装置の回線切替制御方式。」（第１頁左下欄第５〜１７行）
　
［引用例２］
「自動車電話装置の本体への入出力信号である送受信信号の信号線をハンドセットとファクシミリ装置とに切換接続して、通話およびファクシミリ通信を行なう自動車電話を使用したファクシミリ通信システムにおいて、発信の際に、着信側に通話を行なうのかファクシミリ通信を行なうのかを指示する切換信号を上記本体に入力する信号入力手段と、上記本体に配設され入力された上記切換信号を着信側に送信する切換信号送信手段と、着信の際に、送信された上記切換信号を受信する上記本体内に配設された切換信号受信手段と、受信した上記切換信号の指示に従って上記信号線を上記ハンドセットまたは上記ファクシミリ装置に切換接続する切換手段とを備えていることを特徴とする自動車電話を使用したファクシミリ通信システム。」（第１頁左下欄第５〜２０行）
　
［引用例３］
「開始信号を発信するための所定キーを有する移動体内の無線電話装置を用いて受信側を呼出した後、前記所定キーを操作して前記開始信号を発信させ、自動応答機能及びポーリング送信機能を有し予め送信原稿がセットされたファクシミリ装置を前記開始信号に基づきオフフックさせて前記送信原稿の内容を前記受信側へ送信する移動体におけるファクシミリ通信方法において、
　前記自動応答機能にモード設定すると共に、所定のディフォルト値を用いて前記ポーリング送信機能にモード設定した後、
　前記所定キーを操作して前記ファクシミリ装置を自動的にオフフックさせることを特徴とする移動体におけるファクシミリ通信方法。」（第１頁左下欄第５〜１８行）
　
［引用例４］
「ハンドセットとデータ送受信装置のどちらか一方を電話移動機に接続する回線切替手段と、
　前記電話移動機が秘話通信状態であるか否かを判断する秘話通信判定手段と、
　前記データ送受信装置からの回線要求信号に応答して前記データ送受信装置が前記電話移動機に接続されるように前記回線切替手段を動作させ、更に、前記電話移動機の秘話通信を解除する回線接続制御手段と
を具備することを特徴とする電話移動機の回線制御装置。」（第１頁左下欄第５〜１５行）
　
［引用例５］
「自動車電話機と同一回線を共用する車載用ファクシミリに於て、車載用電話機の任意のプッシュボタンにファクシミリモードへの切替えを行わせる切替え設定手段を設け、ファクシミリのコーリングトーンを受信したときにファクシミリモードへの切替えを行うコーリングトーン切替え手段と、設定回数以上の呼び出し信号を受信したときにファクシミリモードへの切替えを行う自動切替え手段とを備えたことを特徴とする車載用ファクシミリと電話機との切替え装置。」（明細書第１頁第５〜１４行）
　
３．当審の判断
　引用例１には、自動車電話装置において、送受信手段の信号線をモデム又はファクシミリ装置に接続する第１のモード、及び該信号線を送受話器に接続する第２のモードの切替を行う切替手段を備え、制御手段により設定される切替制御情報に基づいて上記切替手段を制御して上記送受信手段の切替えを行うようにした構成が開示され、
　引用例２には、送受信信号の信号線をハンドセットとファクシミリ装置とに切換接続して、通話及びファクシミリ通信を行う自動車電話を使用したファクシミリ通信システムにおいて、発信側で通話を行うのかファクシミリ通信を行うのかを指示する切換信号を入力してこの信号を着信側へ送信し、着信側がこの受信した切換信号に従って、上記信号線をハンドセット又はファクシミリ装置に切換接続するようにした構成が開示され、
　引用例３には、ファクシミリ装置を、自動応答機能にモード設定すると共に、所定のデフォルト値を用いてポーリング送信機能にモード設定した後、無線電話装置の所定キーを操作することにより、ファクシミリ装置を自動的にオフフックさせ、これにより原稿を送信する際のファクシミリ装置の操作を不要にして操作性を向上させるようにした移動体におけるファクシミリ通信方法が開示され、
　引用例４には、ハンドセットとデータ送受信装置のどちらか一方に電話移動機を接続する回線制御装置において、通話中にデータ送受信のための回線要求があった場合に、電話移動機が秘話通信状態か否かを判別し、秘話通信状態の場合にはこの秘話通信状態を解除してデータ送受信を行うようにした構成が開示され、
　引用例５には、車載用ファクシミリ装置において、音声モードからファクシミリモードへの切替えを自動的に行うようにした構成が開示されている。
　しかしながら、いずれの引用例にも、本願発明が主要な構成として有する「無線接続方式に特化した特定の機能通信の実施要求を入力する機能通信要求入力手段と、第１の無線接続方式での無線接続中に、前記機能通信要求入力手段により特定の機能通信の実施要求が入力された場合、入力された特定の機能通信を実行する第２の無線接続方式を選択し、この第２の無線接続方式で通信を行う無線回線を補足して通信を行う機能通信制御手段」については、記載も示唆もなされていない。
　そして、本願発明は、上記構成により、面倒な多数の操作を行うことなく、簡単な操作で、無線接続方式に特化した特定の機能通信に移行することができ、これにより操作性の向上を図り得る無線通信装置を提供することができるという、明細書記載の効果を奏するものと認められる。
　よって、本願発明は、引用例１〜５に記載の発明に基いて、当業者が容易に発明をすることができたものとすることができない。
　
４．むすび
　したがって、本願発明は、特許法第２９条第２項の規定により特許を受けることができないとした原査定の判断は妥当でない。
　また、他に本願を拒絶すべき理由を発見しない。
　よって、結論のとおり審決する。